(57)【要約】【課題】診断を実施する居室インターホン親機の診断リストを各住戸の状態（在室／不在／外泊、未入居等）に応じて自動的に設定して、誤診断を防止する。【解決手段】集合住宅の各住戸に設置される居室インターホン親機１ａ、１ｂ、・・・と、管理人室に設置される管理室親機５とを備え、居室インターホン親機は親機番号を記憶した記憶部２０を備え、管理室親機は各居室インターホン親機を診断の対象とするか否かを設定するためのコマンドを記録した状態変更コマンドリストＴ１及び診断の対象とされる居室インターホン親機の親機番号を記録した診断リストＴ２を記録したメモリ５３と、状態変更コマンドリストに記録されたコマンドを検出した場合に、居室インターホン親機の親機番号を削除または登録して診断リストを再設定し、再設定された診断リストに基づいて住戸の状態毎に自動的に診断を行う居室インターホン親機を判別して、各居室インターホン親機の診断を行い居室インターホン親機の異常時に異常を報知する制御回路５２とを備えている。【選択図】図１
2006279792.tif 000002
【特許請求の範囲】
【請求項１】
集合住宅の各住戸に設置され、入居者が訪問者や管理人と通話を行うなめの複数の居室インターホン親機（１ａ、１ｂ、・・・）と、管理人室に設置され管理人が入居者との通話を行うための管理室親機（５）と、前記居室インターホン親機に接続される電気錠、人感センサ等の機器（２１、２３）とを備え、
前記居室インターホン親機は、親機番号を記憶した記憶部（２０）を備え、
各居室インターホン親機を診断の対象とするか否かを設定するためのコマンドを記録した状態変更コマンドリスト（Ｔ１）及び診断の対象とされる前記居室インターホン親機の前記親機番号を記録した診断リスト（Ｔ２）を記録したメモリ（５３）と、前記状態変更コマンドリストに記録された前記コマンドを検出した場合に、前記居室インターホン親機の前記親機番号を削除または登録して前記診断リストを再設定し、再設定された診断リストに基づいて在室／不在／外泊、未入居等の住戸の状態毎に自動的に診断を行う居室インターホン親機を判別して、各居室インターホン親機の診断を行い前記居室インターホン親機及び前記機器の故障、停電、電源切断等の異常時に異常を報知する制御部（５２）とを備えることを特徴とするインターホン診断システム。
【請求項２】
集合住宅の各住戸に設置され、入居者が訪問者や管理人と通話を行うなめの複数の居室インターホン親機（１ａ、１ｂ、・・・）と、管理人室に設置され管理人が入居者との通話を行うための管理室親機（５）と、前記居室インターホン親機に接続される電気錠、人感センサ等の機器（２１、２３）とを備え、
前記居室インターホン親機は、親機番号、在室／不在／外泊、未入居等の住戸の状態及び前記居室の状態に基づいて自動的に診断を行う診断項目を記憶した記憶部（２０）と、
各居室のインターホン親機の診断を前記診断項目に基づいて行い前記機器の故障、停電、電源切断等の異常時に異常を前記管理室親機に報知する制御部（１２）とを備えることを特徴とするインターホン診断システム。
【請求項３】
前記管理室親機は、前記状態変更コマンドリストに記録された前記コマンドの受信に代えて、個々の居室インターホン親機を選択し前記メモリ内の前記診断リストに記載の該当親機番号を削除または追加することにより診断を行う住戸の居室インターホン親機を判別するための個別設定スイッチ（５５）を備えることを特徴とする請求項１記載のインターホン診断システム。
【請求項４】
前記管理室親機は、全ての居室インターホン親機の親機番号を前記診断リストから一斉に削除または登録することにより全ての居室インターホン親機及び前記機器の診断をオン／オフ設定するための一斉設定スイッチ（５６）を備えることを特徴とする請求項１または請求項３記載のインターホン診断システム。
【発明の詳細な説明】
【技術分野】
【０００１】
本発明は複数の居室インターホン親機を有するインターホン装置のインターホン診断システムに係り、特に、診断を実施する居室インターホン親機の診断リスト（診断項目）をその住戸の状態に応じて自動的に設定できるインターホン診断システムに関する。
【背景技術】
【０００２】
従来から、複数の居室インターホン親機、集合玄関機、管理室親機及び制御機から成る集合住宅インターホン装置の接続診断を行なうための集合住宅インターホン方式が知れている（例えば、特許文献１参照）。
【０００３】
この集合住宅インターホン方式は、管理室親機の操作部で接続診断の検出を行なうための操作や定期診断タイマの制御により制御機の制御部から複数の居室インターホン親機、集合玄関機及び管理室親機の各制御部に対して接続診断を行なうための診断コマンドが順次送信される。接続状態に異常がない場合には複数の居室インターホン親機、集合玄関機及び管理室親機の各制御部は診断受付コマンドを送信するので、制御機の制御部で接続状態の検出を行なうことができる。なお、制御機の制御部は、診断受付コマンドを受信できなかった場合には管理室親機や集合玄関機の各表示部に、何れかの接続状態に異常があった旨の警報を表示させる。
【０００４】
【特許文献１】特開平１１−２８４７５１号公報
【発明の開示】
【発明が解決しようとする課題】
【０００５】
しかしながら、背景技術において示した集合住宅インターホン方式では、複数の居室インターホン親機の各接続診断を制御機の制御部で一斉にオン／オフ設定しているので、個々の住戸状態（在室、不在、外泊や未入居等）に応じた設定はできず、電気錠、人感センサ等の機器の電源が切断されている未入居の住戸では診断異常となってしまう難点があった。
【０００６】
本発明はこのような従来の難点を解決するためになされたもので、診断を実施する居室インターホン親機の診断リスト（診断項目）を各住戸の状態に応じて自動的に設定して、誤診断を防止することができるインターホン診断システムを提供することを目的とする。
【課題を解決するための手段】
【０００７】
本発明のインターホン診断システムにおける第１の態様は、集合住宅の各住戸に設置され、入居者が訪問者や管理人と通話を行うなめの複数の居室インターホン親機と、管理人室に設置され管理人が入居者との通話を行うための管理室親機と、居室インターホン親機に接続される電気錠、人感センサ等の機器とを備え、居室インターホン親機は、親機番号を記憶した記憶部を備え、さらに、各居室インターホン親機を診断の対象とするか否かを設定するためのコマンドを記録した状態変更コマンドリスト及び診断の対象とされる居室インターホン親機の親機番号を記録した診断リストを記録したメモリと、状態変更コマンドリストに記録されたコマンドを検出した場合に、居室インターホン親機の親機番号を削除または登録して診断リストを再設定し、再設定された診断リストに基づいて在室／不在／外泊、未入居等の住戸の状態毎に自動的に診断を行う居室インターホン親機を判別して、各居室インターホン親機の診断を行い居室インターホン親機及び機器の故障、停電、電源切断等の異常時に異常を報知する制御部とを備えるものである。
【０００８】
このようなインターホン診断システムによれば、例えば所定の居室インターホン親機を設置した何れかの住戸が未入居の場合には、メモリの状態変更コマンドリストにその居室インターホン親機を診断の対象としないコマンドが記録され、制御部はそのコマンドに基づきメモリに記録された診断リストからその居室インターホン親機の親機番号を削除して当該診断リストを再設定することができるので、制御部でインターホンの接続診断を行なう場合に未入居の住戸に設置した居室インターホン親機を除くことができる。したがって、未入居の住戸に設置した居室インターホン親機を除く各居室インターホン親機の診断を行なうことが可能になるので、電源が切断されている未入居の住戸の居室インターホン親機が診断異常と誤診断されることを防ぐことができる。
【０００９】
また、本発明のインターホン診断システムにおける第２の態様は、集合住宅の各住戸に設置され、入居者が訪問者や管理人と通話を行うなめの複数の居室インターホン親機と、管理人室に設置され管理人が入居者との通話を行うための管理室親機と、居室インターホン親機に接続される電気錠、人感センサ等の機器とを備え、居室インターホン親機は、親機番号、在室／不在／外泊、未入居等の住戸の状態及び居室の状態に基づいて自動的に診断を行う診断項目を記憶した記憶部と、各住戸のインターホン親機の診断を診断項目に基づいて行い機器の故障、停電、電源切断等の異常時に異常を管理室親機に報知する制御部とを備えるものである。
【００１０】
このようなインターホン診断システムによれば、例えば所定の居室インターホン親機を設置した何れかの住戸が未入居の場合には、その居室インターホン親機の記憶部に診断項目が記憶されないので、制御部は管理室親機に診断結果を報知しなくなる。したがって、未入居の住戸に設置した居室インターホン親機を除く各居室インターホン親機の診断を行なうことが可能になるので、電源が切断されている未入居の住戸の居室インターホン親機が診断異常と誤診断されることを防ぐことができる。
【００１１】
第３の態様は第１の態様のインターホン診断システムにおいて管理室親機は、状態変更コマンドリストに記録されたコマンドの受信に代えて、個々の居室インターホン親機を選択しメモリ内の診断リストに記載の該当親機番号を削除または追加することにより診断を行う住戸の居室インターホン親機を判別するための個別設定スイッチを備えるものである。この個別設定スイッチを備えることにより、例えば未入居の住戸に設置された居室インターホン親機を選択しメモリ内の診断リストに記載の該当親機番号を個別設定スイッチによるスイッチ操作で削除することができる。したがって、管理人が積極的に未入居の住戸に設置した居室インターホン親機を除く各居室インターホン親機の設定を行なうことが可能になる。
【００１２】
第４の態様は第１の態様又は第３の態様のインターホン診断システムにおいて管理室親機は、全ての居室インターホン親機の親機番号を診断リストから一斉に削除または登録することにより全ての居室インターホン親機及び機器の診断をオン／オフ設定するための一斉設定スイッチを備えるものである。この一斉設定スイッチを備えることにより、全ての居室インターホン親機の親機番号を診断リストから一斉に削除することができるので、施工段階で各住戸への給電が止まる可能性のある場合、全住戸の居室インターホン親機の診断を停止することで誤報防止が可能となる。
【発明の効果】
【００１３】
本発明のインターホン診断システムによれば、複数の居室インターホン親機を備えたインターホン装置において、各住戸の状況に応じて機器診断の対象となる居室インターホン親機を自動的に判別することができるので、未入居の住戸など給電が止まる可能性のある居室インターホン親機を異常として検出する誤報を防止することができる。また、電気錠、人感センサ等の機器の場合は故障情報を診断結果として非報知とするので、未入居の住戸など給電が止まる可能性のある機器を診断異常と誤報されることを防止することができる。
【発明を実施するための最良の形態】
【００１４】
以下、本発明のインターホン診断システムにおける好ましい実施の形態例について、図面を参照して説明する。
【００１５】
本発明の実施の一形態例であるインターホン診断システムが適用されるインターホン装置は図１に示すように、住戸内に設置される複数の居室インターホン親機１ａ、１ｂ、・・・と、集合玄関に設置され居室インターホン親機１ａ、１ｂ、・・・との通話を行なう集合玄関機２と、管理室に設置され居室インターホン親機１ａ、１ｂ、・・・及び集合玄関機２と通話を行なう管理室親機５とを備えている。
【００１６】
居室インターホン親機１ａ、１ｂ、・・・は、入居者が訪問者や管理人と通話を行うためのスピーカ１８及びマイク１９と、訪問者と通話及び終話を行なうための通話ボタンや種々の操作を行なうためのタッチパネル等から成る操作部２２と、居室の在室／不在／外泊状況を設定する在室／不在／外泊設定ボタン１４と、未入居であることを設定する未入居設定スイッチ１５とを備えている。なお、スピーカ１８は呼出スピーカとして兼用される。
【００１７】
また、居室インターホン親機１ａ、１ｂ、・・・は、住戸の扉に設置された電気錠２１の施錠・解錠に基づき在室・不在の信号を出力する信号送出回路１６と、在室／不在／外泊設定ボタン１４、未入居設定スイッチ１５、信号送出回路１６及び住戸の玄関扉や窓等に設置される人感センサ２３からの各信号入力を検出する入力検出回路１３と、音声信号を制御する通話回路１７と、個々の居室インターホン親機の識別番号となる親機番号を記憶した記憶部である記憶回路２０と、入力検出回路１３から送出された検出信号で居室の状態を把握し、記憶回路２０に記憶された親機番号と共に住戸の状態を示すコマンドを送出する制御回路１２と、管理室親機５及び集合玄関機２と音声信号及びコマンドを送受信する通信インターフェース１１（以下、「通信Ｉ／Ｆ１１」という。）とを備えている。
【００１８】
なお、居室インターホン親機１ａ、１ｂ、・・・のスピーカ１８及びマイク１９はハンドセットでもよく、この場合、呼出スピーカは別個に設けられる。
【００１９】
このような居室インターホン親機１ａ、１ｂ、・・・のスピーカ１８及びマイク１９は、通話回路１７を介して通信Ｉ／Ｆ１１に接続され、在室／不在／外泊設定ボタン１４、未入居設定スイッチ１５及び人感センサ２３はそれぞれ入力検出回路１３を介して制御回路１２に接続され、制御回路１２には通信Ｉ／Ｆ１１、操作部２２及び記憶回路２０が接続されている。また、電気錠２１は信号送出回路１６を介して入力検出回路１３に接続されている。さらに、通話回路１７の制御端子は制御回路１２に接続され、通信Ｉ／Ｆ１１は幹線Ｌにバス接続されている。なお、入力検出回路１３に接続される機器は電気錠２１、人感センサ２３に限らず、インターホン装置に使用されるセキュリティ機器ならばどのようなものでも接続され、入力検出回路１３で各信号入力を検出することができる。
【００２０】
管理室親機５は、管理人が訪問者や入居者と通話を行なうためのスピーカ５８及びマイク５９と、管理人が入居者を呼び出すためのテンキーや呼出ボタンから成る操作部６０と、各住戸に設置された居室インターホン親機の親機番号を個々に選択できる個別設定スイッチ５５と、全ての住戸の居室インターホン親機の親機番号を一括で設定できる一斉設定スイッチ５６とを備えている。なお、スピーカ５８はインターホン装置の異常時に警報音を鳴動させると共に呼び出しのための呼出・警報スピーカとして兼用される。
【００２１】
また、管理室親機５は図１、図２に示すように、各居室インターホン親機を診断の対象とするか否かを設定するためのコマンドを記録した状態変更コマンドリストＴ１（図２（ａ））及び診断の対象とされる居室インターホン親機の親機番号をリストアップした診断リストＴ２（図２（ｂ））を記録したメモリ５３と、個別設定スイッチ５５及び一斉設定スイッチ５６からの各信号入力を検出する入力検出回路５４と、音声信号を制御する通話回路５７と、居室インターホン親機１ａ、１ｂ、・・・及び集合玄関機２と音声信号及びコマンドを送受信する通信インターフェース５１（以下、「通信Ｉ／Ｆ５１」という。）と、メモリ５３の状態変更コマンドリストＴ１に記録されたコマンドを検出した場合に、居室インターホン親機の親機番号を削除または登録して診断リストを再設定し、再設定された診断リストに基づいて在室／不在／外泊、未入居等の住戸の状態毎に自動的に診断を行う居室インターホン親機を判別して、各居室インターホン親機の診断を行い電気錠２３及び人感センサ２１の故障、停電、電源切断等の異常時に異常を報知する制御部である制御回路５２とを備えている。
【００２２】
状態変更コマンドリストＴ１は図２（ａ）に示すように、未入居、外泊、不在、在室、登録の各項目がリストアップされ、それぞれ削除、追加設定ができるようになっている。また、診断リストＴ２は図２（ｂ）に示すように、親機番号とその親機番号の居室インターホン親機が設置された住戸番号とを対応して表示できるようになっており、親機番号及び住戸番号が表示されていない住戸は、管理室親機５の制御回路５２で機器診断されないように設定されている。この機器診断は、管理室親機５の電源が投入されると、制御回路５２の制御により一定時間毎あるいは常時に、自動的に行なわれるように設定されているが、管理室親機５の操作部６０で機器診断操作することにより行われるようにしてもよい。
【００２３】
なお、管理室親機５のスピーカ５８及びマイク５９はハンドセットでもよく、この場合、呼出・警報スピーカは別個に設けられる。
【００２４】
このような管理室親機５のスピーカ５８及びマイク５９は、通話回路５７を介して通信Ｉ／Ｆ５１に接続され、個別設定スイッチ５５及び一斉設定スイッチ５６はそれぞれ入力検出回路５４を介して制御回路５２に接続され、制御回路５２には通信Ｉ／Ｆ５１、操作部６０及びメモリ５３が接続されている。また、通話回路５７の制御端子は制御回路５２に接続され、通信Ｉ／Ｆ５１は幹線Ｌにバス接続されている。
【００２５】
集合玄関機２は、一般的なインターホンシステムと同一の機器を使用することができるので説明を省略するが、幹線Ｌにバス接続されている。
【００２６】
このようにインターホン診断システムが適用されたインターホン装置の診断動作について図３に示すフローチャートに基づき説明する。なお、すべての居室インターホン親機は常時電源が投入されているが、未入居の住戸は電気錠２３、人感センサ２１等の機器の電源が切断されているものとする。
【００２７】
管理室親機５の電源が投入されて制御回路５２が初期化されると（ステップ１０１）、各住戸１０１、１０２、・・・に設置された居室インターホン親機１ａ、１ｂ、・・・の制御回路１２は登録コマンドを通信Ｉ／Ｆ１１を介して幹線Ｌに伝送する。管理室親機５の通信Ｉ／Ｆ５１は幹線Ｌから登録コマンドを受信すると制御回路５２に送出する。制御回路５２は受信した登録コマンドの親機番号をメモリ５３の診断リストＴ２に順次記録する（ステップ１０２）。なお、通常は、メモリ５３の診断リストＴ２に記録された親機番号の居室インターホン親機に対し診断を実行し、状態変更コマンドを受信しない間は診断を継続する（ステップ１０３、１０４）。
【００２８】
このような状態において、例えば、住戸１０１の居室インターホン親機１ａの未入居設定スイッチ１５で未入居であるスイッチ操作がなされると、居室インターホン親機１ａの入力検出回路１３は未入居であることを示す検出信号を制御回路１２に送出するので、制御回路１２は記憶回路２０に記憶された親機番号と共に住戸１０１が未入居状態であることを示す状態変更コマンドを通信Ｉ／Ｆ１１に送出する。通信Ｉ／Ｆ１１はその親機番号及び状態変更コマンドを、幹線Ｌを介して管理室親機５に送信するので、管理室親機５の通信Ｉ／Ｆ５１がその親機番号及び状態変更コマンドを受信することができる。通信Ｉ／Ｆ５１で受信された親機番号及び状態変更コマンドは制御回路５２に送出され、制御回路５２は住戸１０１の親機番号と状態変更コマンドをメモリ５３に記録した状態変更コマンドリストＴ１に基づいて検出し（ステップ１０４）、その状態変更コマンドが未入居状態を示す未入居コマンドの場合は（ステップ１０５）、制御回路５２はメモリ５３に記録した診断リストＴ２から住戸１０１用の親機番号１を削除して診断リストＴ２を再設定し（ステップ１０６）、この診断リストＴ２に基づき居室インターホン親機１ｂ、・・・の機器診断を実行することになる。したがって、未入居の住戸１０１に設置した居室インターホン親機１ａを除く各居室インターホン親機１ｂ、・・・の診断を行なうことが可能になるので、居室インターホン親機１ａに接続された電気錠２３、人感センサ２１等の機器の電源が切断されている未入居の住戸１０１が診断異常と誤診断されることを防ぐことができる。
【００２９】
一方、住戸１０１の居室インターホン親機１ａの在室／不在／外泊設定ボタン１４で例えば在室であるスイッチ操作がなされると、居室インターホン親機１ａの入力検出回路１３は在室であることを示す検出信号を制御回路１２に送出するので、制御回路１２は記憶回路２０に記憶された親機番号と共に住戸１０１が在室状態であることを示す状態変更コマンドを通信Ｉ／Ｆ１１に送出する。通信Ｉ／Ｆ１１はその親機番号及び状態変更コマンドを、幹線Ｌを介して管理室親機５に送信するので、管理室親機５の通信Ｉ／Ｆ５１がその制御信号を受信することができる。通信Ｉ／Ｆ５１で受信された制御信号は制御回路５２に送出され、制御回路５２はその制御信号から住戸１０１の親機番号と状態変更コマンドをメモリ５３に記録した状態変更コマンドリストＴ１に基づいて検出し（ステップ１０４）、その状態変更コマンドが在室状態を示す在室コマンドの場合は（ステップ１０７）、制御回路５２はメモリ５３に記録した診断リストＴ２に住戸１０１用の親機番号１を追加して診断リストＴ２を再設定し（ステップ１０８）、この診断リストＴ２に基づき全ての居室インターホン親機１ａ、１ｂ、・・・の機器診断を実行することになる。なお、外泊、不在の場合は診断リストＴ２の親機番号の追加、削除は行なわないように設定されている。
【００３０】
また、管理室親機５の個別設定スイッチ５５で、例えば、住戸１０２に設置された居室インターホン親機１ｂを削除するように選択操作すると、その削除する親機番号２が入力検出回路５４を介して制御回路５２に送出される。制御回路５２はこの親機番号２に基づきメモリ５３の診断リストＴ２から該当親機番号２を削除するので、この診断リストＴ２に基づき居室インターホン親機１ａ、・・・の機器診断を実行することができる。したがって、管理人が積極的に未入居の住戸に設置した居室インターホン親機１ｂを除く各居室インターホン親機１ａ、・・・の診断を行なうことが可能になるので、居室インターホン親機１ｂに接続された電気錠２１、人感センサ２３等の機器の電源が切断されている未入居の住戸１０２が診断異常と誤診断されることを防ぐことができる。
【００３１】
一方、管理室親機５の個別設定スイッチ５５で、削除された居室インターホン親機１ｂを追加するように選択操作すると、その追加する親機番号２が入力検出回路５４を介して制御回路５２に送出される。制御回路５２はこの親機番号２に基づきメモリ５３の診断リストＴ２に該当親機番号２を追加するので、この診断リストＴ２に基づき全ての居室インターホン親機１ａ、１ｂ、・・・の機器診断を実行することができる。
【００３２】
また、管理室親機５の一斉設定スイッチ５６で全ての居室インターホン親機１ａ、１ｂ、・・・の親機番号を削除するように操作すると、その操作信号が入力検出回路５４を介して制御回路５２に送出される。制御回路５２はこの操作信号に基づきメモリ５３の診断リストＴ２から全ての親機番号を削除して全ての居室インターホン親機１ａ、１ｂ、・・・の診断をオフ設定にするので、施工段階で各住戸の電気錠２１、人感センサ２３等の機器への給電が一斉に止まる可能性のある場合、全住戸の居室インターホン親機の診断を停止することで誤報防止が可能となる。
【００３３】
一方、管理室親機５の一斉設定スイッチ５６で全ての居室インターホン親機１ａ、１ｂ、・・・の親機番号を登録するように操作すると、その操作信号が入力検出回路５４を介して制御回路５２に送出される。制御回路５２はこの操作信号に基づきメモリ５３の診断リストＴ２から全ての親機番号を登録して全ての居室インターホン親機１ａ、１ｂ、・・・の診断をオン設定にするので、施工後、全住戸の居室インターホン親機の診断を行なうことができる。
【００３４】
なお、上述した実施の形態例においては、居室インターホン親機１ａ、１ｂ、・・・が親機番号を記憶した記憶部２０を備え、管理室親機５が各居室インターホン親機１ａ、１ｂ、・・・を診断の対象とするか否かを設定するためのコマンドを記録した状態変更コマンドリストＴ１及び診断の対象とされる居室インターホン親機の親機番号を記録した診断リストＴ２を記録したメモリ５３と、状態変更コマンドリストに記録されたコマンドを検出した場合に、居室インターホン親機の親機番号を削除または登録して診断リストＴ２を再設定し、再設定された診断リストＴ２に基づいて在室／不在／外泊、未入居等の住戸の状態毎に自動的に診断を行う居室インターホン親機を判別して、各居室インターホン親機の診断を行い居室インターホン親機、電気錠２１及び人感センサ２３の故障、停電、電源切断等の異常時に異常を報知する制御回路５２とを備えて、入居の住戸の居室インターホン親機及び未入居の住戸の居室インターホン親機に接続された電気錠２１、人感センサ２３等の機器が診断異常と誤診断されることを防いでいたが、これに限らず、各居室インターホン親機自体にこのような機能を備えるようにしてもよい。
【００３５】
この場合、居室インターホン親機１ａ、１ｂ、・・・は、親機番号、在室／不在／外泊、未入居等の住戸の状態及び居室の状態に基づいて自動的に診断を行う診断項目を記憶した記憶部２０と、各居室のインターホン親機の診断を診断項目に基づいて行い電気錠２３、人感センサ２１等の機器の故障、停電、電源切断等の異常時に異常を管理室親機５に報知する制御回路１２とを備えるとよい。
【００３６】
例えば、住戸１０１の居室インターホン親機１ａの未入居設定スイッチ１５で未入居であるスイッチ操作がなされると、居室インターホン親機１ａの入力検出回路１３は未入居であることを示す検出信号を制御回路１２に送出することから、制御回路１２は記憶部２０に未入居であることを記憶させるので、制御回路１２は管理室親機５に報知することはない。したがって、未入居の住戸に設置した居室インターホン親機１ａを除く各居室インターホン親機１ｂ、・・・の診断を行なうことが可能になるので、電源が切断されている未入居の住戸の居室インターホン親機１ａに接続された電気錠２３、人感センサ２１等の機器が診断異常と誤診断されることを防ぐことができる。
【００３７】
一方、住戸１０１の居室インターホン親機１ａの在室／不在／外泊設定ボタン１４で在室、外泊あるいは不在であるスイッチ操作がなされると、居室インターホン親機１ａの入力検出回路１３は在室、外泊あるいは不在であることを示す検出信号を制御回路１２に送出することから、制御回路１２は記憶部２０に自動的に診断を行う診断項目を記憶させるので、その居室インターホン親機１ａの故障、停電、電源切断等の異常時に異常を管理室親機５に報知することができる。
【００３８】
また、上述した実施の形態例においては、居室インターホン親機１ａ、１ｂ、・・・と管理室親機５とは幹線Ｌにバス接続されていたが、これに限らず、制御装置（図示せず）を介して居室インターホン親機１ａ、１ｂ、・・・と管理室親機５とを接続するように構成してもよい。この場合、制御装置に各居室インターホン親機１ａ、１ｂ、・・・を診断の対象とするか否かを設定するためのコマンドを記録した状態変更コマンドリストＴ１及び診断の対象とされる居室インターホン親機の親機番号を記録した診断リストＴ２を記録したメモリ５３と、状態変更コマンドリストＴ１に記載されたコマンドを検出した場合に、居室インターホン親機の親機番号を削除または登録して診断リストＴ２を再設定し、再設定された診断リストＴ２に基づいて在室／不在／外泊、未入居等の居室の状態毎に自動的に診断を行う居室のインターホン親機を判別して、各居室のインターホン親機の診断を行い電気錠２３、人感センサ２１等の機器の故障、停電、電源切断等の異常時に異常を報知する制御回路５２とを設けるとよい。
【００３９】
このような制御装置を設けても上述と同様の作用、効果を得ることができる。即ち、管理室親機５でなされていた診断機能が制御装置で実行されるだけである。
【図面の簡単な説明】
【００４０】
【図１】本発明のインターホン診断システムが適用されるインターホン装置における好ましい実施の形態例を示すブロック図である。
【図２】本発明のインターホン診断システムが適用される管理親機のメモリに記憶するリストを示す説明図で、（ａ）は状態変更コマンドリストのメモリマップ図、（ｂ）は診断リストのメモリマップ図である。
【図３】本発明のインターホン診断システムが適用される管理親機の制御回路によるデータ処理手順を示すフローチャート図である。
【符号の説明】
【００４１】
１ａ、１ｂ、・・・……居室インターホン親機
１２……制御回路（制御部）
２０……記憶回路（記憶部）
５……管理室親機
５２……制御回路（制御部）
５３……メモリ
Ｔ１……状態変更コマンドリスト
Ｔ２……診断リスト
５５……個別設定スイッチ
５６……一斉設定スイッチ
２１……電気錠（機器）
２３……人感センサ（機器）
【図１】
2006279792.tif 000003
【図２】
2006279792.tif 000004
【図３】
2006279792.tif 000005